(57)【特許請求の範囲】
【請求項１】
ウェットシェーバーであって：
−  ハンドル(２)と、
−  シェービング平面(Ｐ)を規定し、少なくとも２つのブレード(１)を有するシェービングヘッド(５)であって、前記シェービングヘッドはカム面(７)を有しており、前記シェービングヘッドは、前記シェービング平面に平行な枢軸線(Ｘ)の周囲で前記ハンドルに枢軸線回転可能に取り付けられており、前記シェービングヘッド(５)は、静止ポジションを有している、シェービングヘッド(５)と、
−  前記ハンドルに設けられ、前記静止ポジションへ向けて前記シェービングヘッドを付勢するよう前記カム面においてカム作用を発揮するよう構成された、付勢部材(３)と、を具備してなり、
前記カム面(７)の少なくとも一部が、実質的に平坦でありかつ前記シェービング平面に対して実質的に直交しており、
前記カム面(７)は、交差位置(Ｗ)において前記シェービング平面(Ｐ)と交差するカム平面(Ｃ)に属し、かつ前記交差位置(Ｗ)は、前記ブレード(１)の前方に位置していることを特徴とするウェットシェーバー。
【請求項２】
前記カム面は、前記枢軸線(Ｘ)に実質的に並行であることを特徴とする請求項１に記載のウェットシェーバー。
【請求項３】
前記付勢部材(３)は、前記シェービングヘッド(５)が前記静止ポジションにある場合に、負荷がかけられた状態となっていることを特徴とする請求項１から請求項２のいずれか一項に記載のウェットシェーバー。
【請求項４】
前記シェービングヘッド(５)は、使用者の肌に接触するための接触面(５６ａ)を有するガード(５６)を有しており、かつ前記交差位置(Ｗ)は前記ガード接触面に隣接して存在することを特徴とする請求項１から請求項３のいずれか一項に記載のウェットシェーバー。
【請求項５】
前記シェービングヘッドは、前記ブレード(１)に設けられた前方側部(５１)と、前記前方側部(５１)に対向する後方側部(５２)とを有しており、前記ハンドルには、２つの対称的に配置されたアーム(２１，２２)が設けられており、前記アーム(２１，２２)はその端部においてシェル型ベアリング(２３，２４)をそれぞれ有しており、前記付勢部材(３)は、前記２つのアームの間に配置されており、かつ、
前記シェービングヘッド(５)の前記後方側部には、前記シェル型軸受部(２３，２４)と協働する弧状軸受面(５３，５４)が設けられていることを特徴とする請求項１から請求項４のいずれか一項に記載のウェットシェーバー。
【請求項６】
前記弧状軸受面(５３，５４)は、前記シェル型軸受部(２３，２４)と協働する少なくとも１つの半径方向当接部(５８，５９，８４)が設けられ、かつ、前記枢軸線(Ｘ)の周囲での前記シェービングヘッド(５)の枢軸線動作のために角度ストップポジションを形成するよう構成されていることを特徴とする請求項５に記載のウェットシェーバー。
【請求項７】
前記付勢部材(３)は、弾性舌片であることを特徴とする請求項１から請求項６のいずれか一項に記載のウェットシェーバー。
【請求項８】
前記ハンドル(２)は、把持部(２８)とヘッド部(２９)とを具備してなり、かつ、前記弾性舌片(３)は、前記ハンドルヘッド部と一体のものであることを特徴とする請求項７に記載のウェットシェーバー。
【請求項９】
前記シェービングヘッドは、前記ブレード(１)に設けられた前方側部(５１)と、前記前方側部に対向する後方側部(５２)とを有しており、前記後方側部(５２)には中間リブ(６)が設けられており、前記カム面(７)は、中間リブ(６)と一体のカム部材(４)上に配置されていることを特徴とする請求項１から請求項８のいずれか一項に記載のウェットシェーバー。
【請求項１０】
前記中間リブ(６)は、前記枢軸線(Ｘ)に沿う幅を有しており、かつ前記幅は、１.５ｍｍから３.５ｍｍの間のものであることを特徴とする請求項９に記載のウェットシェーバー。
【請求項１１】
前記中間リブ(６)は、前記枢軸線(Ｘ)に沿う幅を有しており、前記幅は、２ｍｍ未満であることを特徴とする請求項９に記載のウェットシェーバー。
【発明の詳細な説明】
【技術分野】
【０００１】
本発明はウェットシェーバーに関するものである。
【０００２】
より詳細には、本発明は、ウェットシェーバーであって：
−  ハンドルと、
−  シェービング平面を規定し、少なくとも２つのブレードを有するシェービングヘッドであって、カム面を有しており、シェービング平面に平行な枢軸線の周囲でハンドルに枢軸線回転可能に取り付けられており、かつ静止ポジションを有している、シェービングヘッドと、
−  ハンドルに設けられ、静止ポジションへ向けてシェービングヘッドを付勢するようカム面にカム動作を行うよう構成された、付勢部材と、を備えるウェットシェーバーに関するものである。
【背景技術】
【０００３】
通常、カム面がシェービングヘッドの後方にあるいはブレード平面に実質的に平行に延在するタイプの、もしくはリンス性能を損なう大きくかさばった面に沿って延在するウェットシェーバーが知られている。
【０００４】
そのため、そうしたかみそりのすすぎ(リンス)性能を向上させかつデザインおよび製造を簡単化するように、ウェットかみそりのデザインを改善することが必要とされている。
【発明の概要】
【発明が解決しようとする課題】
【０００５】
本発明の課題のひとつは、単純化されたカム面デザインと向上されたリンス性能を有するウェットシェーバーを提案することである。
【課題を解決するための手段】
【０００６】
そのため本発明に基づくシェーバーは、カム面の少なくとも一部が実質的に平坦でありかつ上記シェービング平面に実質的に直交していることによって特徴付けられる。
【０００７】
こうした構成配置は、シェービングヘッドの後方の中間部分を実質的に簡単化できかつ付勢部材がシェービングヘッドの後方を妨げないようにすることに役立ち、その結果、すすぎ特性が向上される。
【０００８】
本発明のさまざまな実施形態において、場合により、以下の構成のうちの１つまたは他のものに加えて以下の構成のうちのひとつが請求されてもよい。
−  カム面は、枢軸線に実質的に並行である。
−  付勢部材は、シェービングヘッドが静止ポジションにある場合に、あらかじめ負荷がかけられており；この負荷は、知覚品質を向上させるために、静止ポジション当接部に大きな付勢力をもたらす。
−  カム面は、交差位置においてシェービング平面と交差するカム面に属し、かつこのものにおいて交差位置はブレードの前方に位置している。
−  シェービングヘッドは、使用者の肌に接触するための接触面を有するガードを有しており、かつ交差位置はガード接触面の付近に存在する。
−  シェービングヘッドは、ブレードに設けられた前方側部と、前方側部に対向する後方側部とを有しており、ハンドルには２つの対称的に配置されたアームが設けられており、アームはその端部においてシェル型ベアリングをそれぞれ有しており、付勢部材は、２つのアームの間に配置されており、かつ、シェービングヘッドの後方側部には、シェル型軸受部と協働する弧状軸受面が設けられている。
−  弧状軸受面は、シェル型軸受部と協働する少なくとも１つの半径方向当接部が設けられ、かつ、枢軸線の周囲でのシェービングヘッドの枢軸線動作のために角度ストップポジションを形成するよう構成されている。
−  付勢部材は、弾性舌片である。
−  ハンドルは、把持部とヘッド部とを備え、かつ、弾性舌片はハンドルヘッド部と一体のものである。
−  シェービングヘッドは、ブレードに設けられた前方側部と、前方側部に対向する後方側部とを有しており、後方側部には中間リブが設けられており、カム面は、中間リブと一体のカム部材上に配置されている。
−  中間リブは、枢軸線に沿う幅を有しており、かつその幅は、１.５ｍｍから３.５ｍｍの間のものである。
−  中間リブは、枢軸線に沿う幅を有しており、その幅は、２ｍｍ未満であり；これは、かみそりのすすぎ(リンス)特性を向上させる。
【０００９】
本発明の他の特徴部および利点は、添付の図面を参照しかつ非限定的な例示を用いて与えられるその実施形態のうちのひとつの以下の詳細な説明から明らかとなる。
【図面の簡単な説明】
【００１０】
【図１】本発明に基づくシェーバーの斜視図である。
【図２】図１のシェーバーのハンドルの斜視図である。
【図３】図１のシェーバーのシェービングヘッドの斜視図である。
【図４】図１のシェーバーの斜視断面図である。
【図５】シェービングヘッドが静止ポジションにある状態の図１のシェーバーの断面図である。
【図６】シェービングヘッドが伸長ポジションにある状態の図１のシェーバーの断面図である。
【図７】付勢部材のポジションの範囲を示す、図１のシェーバーの概略図である。
【発明を実施するための形態】
【００１１】
図面において、同一の参照番号は同一のまたは類似の要素を示す。
【００１２】
図１には、細長ハンドル２とシェービングヘッド５とを有するウェットシェーバーを示されており、シェービングヘッド５は、図４および図５に示される静止ポジションと図６に示される伸長ポジションとの間において、枢軸線Ｘの周囲で枢軸線回動可能となるようハンドル２に取り付けられている。
【００１３】
ハンドル２は、把持部２８とヘッド部２９とを備え、ヘッド部２９にはシェービングヘッド５が取り付けられる。このハンドルヘッド部２９は、ネック部２９ａと２つの細長アーム２１，２２と付勢部材３とを備え、２つの細長アーム２１，２２は、把持部２８から離れる方向においてネック部２９ａから延在しており、また付勢部材３は、２つの細長アーム２１，２２の間において、把持部２８から離れる方向においてネック部２９ａから延在している。
【００１４】
ここで図２を参照すると、付勢部材３が弾性舌片として形成されており、２つのアーム２１，２２によって規定される平面に直交する方向において屈曲可能となっており、この弾性舌片３は、実質的にシリンダ形状の押圧フランジ３０において終端をなしている。
【００１５】
各アーム２１，２２は、その自由端において、シェル軸受部２３，２４を備える。シェル型軸受部２３，２４の両方が、軸受部表面５３，５４を有しかつシェービングヘッド５に属する境界構造体８０，８１を受容するための旋回部受容構造体を形成する(それについては後述する)。
【００１６】
第１のシェル型軸受部２３は、枢軸線Ｘを中心としたシリンダの一部として形成された弧状部分２３ａと横方向ストッパー部２３ｃとを備え、この弧状部分２３ａは、対応するアーム２１の自由端に対して外側へ向いて枢軸線Ｘに沿って延在しており、かつ外側チップ２３ｂによってその終端が規定されており、横方向ストッパー部２３は、対応するアーム２１の自由端に対して内側において、枢軸線Ｘに直交する平面上に存在している。
【００１７】
弧状部分２３ａは、かみそりの長手方向の広がりに沿って、枢軸線Ｘに対して平行な前縁部２３ｄおよび後縁部２３ｅによって規定される。
【００１８】
第２のシェル型軸受部２４が、付勢部材３に関して対照的なデザインで対応するアーム２２に設けられており、第２のシェル型軸受部２４は、枢軸線Ｘを中心としたシリンダの一部として形成された弧状部分２４ａと横方向ストッパー部２４ｃとを備え、この弧状部分２４ａは、対応するアーム２２の自由端に対して外側方向に枢軸線Ｘに沿って延在しており、かつ外側チップ２４ｂによってその終端が規定されており、横方向ストッパー部２３は、対応するアーム２２の自由端に対して内側において、枢軸線Ｘに直交する平面上に存在している。
【００１９】
弧状部分２４ａは、かみそりの長手方向の広がりに沿って、枢軸線Ｘに対して平行な前縁部２４ｄおよび後縁部２４ｅによって規定される。
【００２０】
好ましくは、本発明によれば、把持部２８、ネック部２９ａ、２つのアーム２１，２２および付勢部材３は、単一部品として一体的に形成されており、それは合成樹脂の成形によって得られる。
【００２１】
ここで図３、図４、図５および図６を参照すると、シェービングヘッド５は、ブレード１の切断縁部１ａが延在する前方側部５１と、前方側部に対向する後方側部５２とを有し、ハンドル２のシェル型軸受部２３，２４との接続のための軸受面５３，５４を備える境界構造体８０，８１を有する。
【００２２】
図示された例においては４つのブレード１が設けられているが、２つ以上のブレードを設けることも本発明の範囲内で考えることができるものである。
【００２３】
２つ以上のブレードが、特に図５に示されるシェービング平面Ｐを規定し、上記枢軸線Ｘはこのシェービング平面Ｐに平行である。
【００２４】
さらに、前方側部５１には、シェービング方向においてブレード１の切断縁部１ａの前方に延在するガード部材５６、および、シェービング方向においてブレード１の切断縁部１ａの後方に延在するキャップ部材５７が設けられている。ガード部材５６は、使用者の肌に接触するよう意図された接触面５６ａを有する。
【００２５】
また図３に示されるように、第１の境界構造体８０は弧状リブ８３を有し、弧状リブ８３は、枢軸線Ｘに交差して延在しており、かつ第１のシェル型軸受部２３の弧状部２３ａの外側チップ２３ｂを受容する弧状スロット８１を有する。
【００２６】
加えて第１の境界構造体８０は、第１のシェル型軸受部２３の弧状部２３ａに相補的な弧状軸受面５４と、シェル型軸受部２３の後縁部２３ｅが当接する静止ポジション当接部８４とを備えている。
【００２７】
第２の境界構造体８１は、第１の境界構造体８０に比べて対称的に設計されており、かつ弧状リブ８６と、第２のシェル型軸受部２４の弧状部２４ａの外側チップ２４ｂを受容する弧状スロットを有しており、弧状リブ８６は、枢軸線Ｘに交差して延在する。
【００２８】
また第２の境界構造体８１は、第２のシェル型軸受部２４の弧状部２４ａに相補的な弧状軸受面５３と、シェル型軸受部２４の後縁部２４ｅが当接する静止ポジション当接部８４とを備えている。
【００２９】
境界構造体８０，８１の軸受面５３，５４のそれぞれは、軸受面５３，５４から半径方向外側に延在する面を有する前方当接部５８，５９を備えている。図５および図６に示されるように、第２の当接部５８は、シェービングヘッド５が伸長ポジションへ向かう方向に回転する際の、第２のシェル型軸受部２４に属する前縁部２４ｄのためのストッパーである。
【００３０】
軸受面５４もまた、枢軸線Ｘに直交して延在する側面８５を備えており、側面８５において、上記第１のシェル型軸受部２３の横方向ストッパー部２３ｃの対応する面が受容される。
【００３１】
図４および図５に示されるように、シェービングヘッド５は、その前方側部５１において前方フレーム５５ａを備えており、前方フレーム５５ａには、ガード部材５６とキャップ部材５７とブレード１とが設けられ、かつシェービングヘッド５は、その後方側部５２において後方フレーム５５ｂを備えており、後方フレーム５５ｂには、境界構造体８０，８１およびそれらの上記特徴部のすべてが設けられる。
【００３２】
さらに後方フレーム５５ｂは、境界構造体８０，８１の間において、実質的にシェービングヘッド後方側部５２の中間において、枢軸線Ｘに交差しかつシェービング平面Ｐに並行な方向に延在する中間リブ６を備える。
【００３３】
中間リブ６上には、ブレード１のおおむね前方のポジションにおいて(「前方」はシェービングの方向において規定される)カム部材４が設けられており、それは、シェービング平面Ｐに対向する方向において中間リブ６から離れるように延在する。留意すべきことに、カム部材は、中間リブ６の中央部６０ではなく、中間リブ６の前端に設けられている。
【００３４】
結果的に、中間リブ６は、湿潤状態でのカミソリのすすぎ特性を向上させるために設計できる。中間リブ６は、枢軸線Ｘに沿う幅を有しており、この幅は、１.５ｍｍから３.５ｍｍの間のものであってもよい。本発明によれば、好ましくは、枢軸線Ｘに沿う中間リブ６の幅は、２ｍｍ未満である。
【００３５】
本発明の変形例によれば、中間リブの中央部は、薄手のものであるか、あるいは非常に抑えられたものとすることができる。
【００３６】
カム部材４は、ベース部分４１と、補強リブ４２と、カム面７とを備えており、カム面７には弾性舌片３の押圧フランジ３０が支持される。カム部材４は、好ましくは、後方フレーム５５ｂおよび中間リブ６と一体的に形成されており、そうした部品は当該分野において公知のプラスチック成形によって得られる。
【００３７】
カム面７における押圧フランジ３０のポジションは、静止ポジションと伸長ポジションとの間でシェービングヘッド５のポジションに応じて変化する。シェービングヘッド５の静止ポジションおいて、カム面７と接触した押圧フランジ３０は、位置７１に配置されており(図５参照)、これに対して、伸長ポジションにおいては、カム面７と接触した押圧フランジ３０は、位置７２に配置されている(図６参照)。
【００３８】
シェービングヘッド５の複数のポジションに基づいて、カム面に接触する押圧フランジ３０のポジションの範囲は、ブレード平面Ｐに交差しかつ枢軸線Ｘに平行な平面に沿って、位置７１から位置７２まで広がる。
【００３９】
カム面７は、実質的に平面であり、かつ、シェービング平面Ｐに実質的に直交しかつ枢軸線Ｘに並行に延在している。付勢部材３は、カム面の前方に配置され、それにより、付勢部材３はシェービングヘッド５の後方側部５２を妨害せず、したがって湿潤状態でのカミソリのすすぎ特性が向上される。
【００４０】
さらにカム７は、非常にデザインが簡単であり、その設計、実施および試験においてまったく複雑な面を必要としない。
【００４１】
カム面７は、図５に示されるカム平面Ｃに属しており、かつこのカム面Ｃは、枢軸線Ｘに平行な線Ｗによって形成される交差位置Ｗにおいてシェービング平面Ｐと交差しており、この交差位置Ｗはブレード１の前方に位置している。
【００４２】
本発明によれば、好ましくは、交差位置Ｗは、ガード部材５６の接触面５６ａのすぐ近くにあるか、あるいは隣接している。本発明によれば好ましくは、交差位置Ｗは、図５に示されるように、ガード部材５６の接触面５６ａのセンターラインに近接して配置される。
【００４３】
図７に示されるように、付勢部材３は、シェービングヘッド５の静止ポジション９４に対応する静止ポジション９１とは異なる自由ポジション９０を有する。そのため、付勢部材３には、シェービングヘッド５の静止ポジションにおいて、あらかじめ負荷をかける付勢力が掛けられており、かつ、あらかじめ負荷をかける付勢力は、知覚品質を向上させるために、静止ポジション当接部に大きな付勢力をもたらす。
【００４４】
図７では破線で示される付勢部材３およびその押圧フランジ３０の最大延伸ポジション９２，３３は、同様に破線で示されるシェービングヘッド５の最大延伸ポジション９３に対応する。このものにおいて、当接部５８は、シェル型軸受部２４の前縁部２４ｄに対するものとなる(図６参照)。このシェービングヘッド５の最大延伸ポジション９３において、カム面７は図７に示される位置７３に存在する。
【００４５】
長大であるよりむしろ薄手の本体を備える弾性舌片３の特定のデザインは、かみそりの耐用期間にわたって、徐々に可撓性および弾性が失われることなく、自由ポジション９０と最大延伸ポジション９２との間の大きな範囲のものとすることを可能にする。
【符号の説明】
【００４６】
１  ブレード
１ａ  切断縁部
２  ハンドル
３  付勢部材
４  カム部材
５  シェービングヘッド
６  中間リブ
７  カム面
２１，２２  細長アーム
２３  第１のシェル型軸受部２３
２３ａ  弧状部分
２３ｂ  外側チップ
２３ｃ  横方向ストッパー部
２３ｄ  前縁部
２３ｅ  後縁部
２４  第２のシェル型軸受部
２４ａ  弧状部分
２４ｂ  外側チップ
２４ｃ  横方向ストッパー部
２４ｄ  前縁部
２４ｅ  後縁部
２８  把持部
２９  ハンドルヘッド部
２９ａ  ネック部
３０  押圧フランジ
３３  最大延伸ポジション
４１  ベース部分
４２  補強リブ
５１  前方側部
５２  後方側部
５３，５４  軸受部表面
５５ａ  前方フレーム
５５ｂ  後方フレーム
５６  ガード部材
５７  キャップ部材
５８，５９  当接部
６０  中央部
７１，７２，７３  位置
８０  第１の境界構造体
８１  第２の境界構造体
８３  弧状リブ
８４  静止ポジション当接部
８５  側面
８６  弧状リブ
９０  自由ポジション
９１  静止ポジション
９２  最大延伸ポジション
９３  最大延伸ポジション
９４  静止ポジション
Ｃ  カム平面
Ｐ  シェービング平面
Ｗ  交差位置
【図１】
0005521041.tif 000002
【図２】
0005521041.tif 000003
【図３】
0005521041.tif 000004
【図４】
0005521041.tif 000005
【図５】
0005521041.tif 000006
【図６】
0005521041.tif 000007
【図７】
0005521041.tif 000008